(57)【要約】【課題】燃焼部や排気経路の隙間から排気ガスの漏れを防止し、特に点火時を含む燃焼初期では、不完全燃焼状ガスの漏れを確実に防止することが出来る燃焼装置を提供する。【解決手段】燃焼バーナ１に燃焼空気を供給する給気経路と、燃焼後の排気ガスを排気する排気経路と、燃焼空気の供給及び排気ガスの排気を行う１つのファン１２とを備え、燃焼バーナ１の点火時はファン１２を排気経路側として、排気ガスを吸引して排気することで、燃焼バーナ１に燃焼空気を吸引供給し、通常燃焼時はファ１２ンを給気経路側として、燃焼バーナ１に燃焼空気を押し込んで供給することで、排気ガスを押し込んで排気するようにしたことで、点火時の不完全燃焼ガスの漏れを確実に防止出来ると共に、通常燃焼時には高温の排気ガスでファンが焼損せず、長期に渡って使用出来るようにしたものである。【選択図】  図１
2007120826.tif 000002
【特許請求の範囲】
【請求項１】
燃焼バーナに燃焼空気を供給する給気経路と、燃焼後の排気ガスを排気する排気経路と、燃焼空気の供給及び排気ガスの排気を行う１つのファンとを備え、燃焼バーナの点火時はファンを排気経路側として、排気ガスを吸引して排気することで、燃焼バーナに燃焼空気を吸引供給し、通常燃焼時はファンを給気経路側として、燃焼バーナに燃焼空気を押し込んで供給することで、排気ガスを押し込んで排気するようにした事を特徴とする燃焼装置。
【発明の詳細な説明】
【技術分野】
【０００１】
この発明は、ファンによって強制的に燃焼空気の給気及び排気ガスの排気を行う強制給排気式の燃焼装置に関するものである。
【背景技術】
【０００２】
従来よりこの種の燃焼装置では、燃焼空気をファンで屋外より給気し、これを燃焼バーナに押し込んで燃焼させ、この燃焼で発生した排気ガスを同じファンで燃焼空気の押し込み力でそのまま屋外に排気していた。（例えば、特許文献１参照）
【特許文献１】特開平５−２６４３０号公報
【発明の開示】
【発明が解決しようとする課題】
【０００３】
ところでこの従来のものでは、燃焼空気及び排気ガスをファンで押し込む方式の為、燃焼部や排気経路の隙間から排気ガスの漏れる危険があり、特に点火時を含む燃焼初期では、完全燃焼しておらず不完全燃焼状態で極めて危険な状態であった。
【課題を解決するための手段】
【０００４】
この発明はこの点に着目し、上記問題点を解決する為、特にその構成を、燃焼バーナに燃焼空気を供給する給気経路と、燃焼後の排気ガスを排気する排気経路と、燃焼空気の供給及び排気ガスの排気を行う１つのファンとを備え、燃焼バーナの点火時はファンを排気経路側として、排気ガスを吸引して排気することで、燃焼バーナに燃焼空気を吸引供給し、通常燃焼時はファンを給気経路側として、燃焼バーナに燃焼空気を押し込んで供給することで、排気ガスを押し込んで排気するようにしたものである。
【発明の効果】
【０００５】
この発明によれば、点火時は吸引して燃焼空気の供給及び排気ガスの排気を行い、通常燃焼時には押し込みで燃焼空気の供給及び排気ガスの排気を行うようにしたことで、点火時の不完全燃焼ガスの漏れを確実に防止出来ると共に、通常燃焼時には高温の排気ガスでファンが焼損せず、長期に渡って使用出来るようにしたものである。
【発明を実施するための最良の形態】
【０００６】
次にこの発明の燃焼装置の一実施形態を図面に基づいて説明する。
１はポット式の燃焼バーナで、燃料供給管２を有し、空気室３を形成して外筒４内に備えられている。
５は前記燃焼バーナ１と連通し、外筒４上に立設された炎筒で、上部には排気部６が連通している。
【０００７】
７は一端を空気室３に連通し、他端を屋外に開口した主給気路で、屋外の空気を燃焼空気として燃焼バーナ１に供給するものである。
８は一端を排気部６に連通し、他端を屋外に開口した主排気路で、燃焼後の排気ガスを屋外に排出するものである。
【０００８】
９は第１バイパス路で、前記主給気路７と主排気路８とをバイパスしている。１０は第２バイパス路で、前記第１バイパス路９より燃焼バーナ１側の主給気路７と、第１バイパス路９より屋外側の主排気路８とをバイパスしている。
【０００９】
１１は第１バイパス路９と第２バイパス路１０とを連通する連通路で、途中には第１バイパス路９側から吸引した空気を、第２バイパス路１０側へ押し込むように駆動するファン１２が備えられている。
【００１０】
１３は主給気路７と第２バイパス路１０の接続部に備えられた第１ダンパーで、点火時は第２バイパス路１０側を閉口し、主給気路７側を開口しており、又通常燃焼時は第２バイパス路１０側を開口し、主給気路７側を閉口するものである。
【００１１】
１４は連絡路１１と第１バイパス路９との接続部に備えられた第２ダンパーで、点火時は第１バイパス路９の主給気路７側を閉口し、主排気路８側を開口しており、又通常燃焼時は第１バイパス路９の主給気路７側を開口し、主排気路８側を閉口するものである。
【００１２】
１５は主排気路８と第２バイパス路１０の接続部に備えられた第３ダンパーで、点火時は主排気路８側を閉口し、第２バイパス路１０側を開口しており、又通常燃焼時は主排気路８側を開口し、第２バイパス路１０側を閉口するものである。
【００１３】
１６は排気ガスの温度を検知する温度センサで、温度が低い時には各ダンパー１３、１４、１５を点火時側とし、温度が所定値以上となることで、通常燃焼時側に切換させるようにするものである。
【００１４】
前記主給気路７は点火時の給気経路で、主排気路８及び第１バイパス路９、連通路１１、第２バイパス路１０は点火時の排気経路を構成し、又主給気路７及び第１バイパス路９、連通路１１、第２バイパス路１０は通常燃焼時の給気経路で、主排気路８は通常燃焼時の排気経路を構成するものである。
１７は防爆蓋である。１８はマイコンからなる制御回路である。
【００１５】
次にこの一実施形態の作動について説明する。
今点火時では、各ダンパー１３、１４、１５が図面の実線で示すように、第１ダンパー１３は第２バイパス路１０側を閉口し、主給気路７側を開口しており、又第２ダンパー１４は第１バイパス路９の主給気路７側を閉口し、更に第３ダンパー１５は主排気路８側を閉口し、第２バイパス路１０側を開口状態となっている。
【００１６】
そして、この状態で燃料供給管２から供給される燃油と、ファン１２の駆動により、主排気路８側から該ファン１２の吸引力で、主給気路７側から燃焼空気が吸引されて、燃焼バーナ１に供給され、点火器（図示せず）で点火されて燃焼バーナ１で燃焼が開始される。
【００１７】
このように、不完全燃焼ガスが発生する恐れのある点火時の燃焼空気の供給を、ファン１２の吸引で行うことで、燃焼バーナ１及び炎筒５、排気部６が全て負圧側となり、排気ガスの漏れを確実に防止することが出来るものである。
【００１８】
この燃焼状態が継続し、温度センサ１６が高温の所定温度を検知することで、各ダンパー１３、１４、１５が図面の点線で示すように通常燃焼時の状態に切換られるもので、即ち、第１ダンパー１３は第２バイパス路１０側を開口し、主給気路７側を閉口しており、又第２ダンパー１４は第１バイパス路９の主給気路７側を開口し、更に第３ダンパー１５は主排気路８側を開口し、第２バイパス路１０側を閉口状態とするものである。
【００１９】
これにより、通常燃焼状態では燃焼空気はファン１２により、主給気路７側から押し込まれる状態で供給されることとなり、排気ガスはファン１２を通ることなく、主排気路７より押し込まれて屋外に排気されるものである。
【００２０】
以上のように、燃焼空気の供給の仕方が、点火時は排気経路側からの吸引方式で行われることで、不完全燃焼ガスが発生する点火時の排気ガス漏れを確実に防止して、安全性を確保することが出来るものであり、又通常燃焼時には吸引方式から押し込み方式に切換られ、ファン１２の焼損を確実に防止することが出来、長期に渡って安心して使用出来るものである。
【００２１】
尚、この一実施形態では温度センサ１６で点火時と通常燃焼時とを切換ているが、これに限らず、例えば点火から一定時間をカウントして、通常燃焼に切換るようにしても良いものである。
【図面の簡単な説明】
【００２２】
【図１】この発明の一実施形態を示す燃焼装置の概略構成図。
【図２】同要部電気回路のブロック図。
【符号の説明】
【００２３】
１  燃焼バーナ
７  主給気路
８  主排気路
９  第１バイパス路
１０  第２バイパス路
１１  連通路
１２  ファン
１３  第１ダンパー
１４  第２ダンパー
１５  第３ダンパー
１６  温度センサ
【図１】
2007120826.tif 000003
【図２】
2007120826.tif 000004